(57)【要約】【課題】糸巻きの向きを気にしないで水糸をスムースに引き出す。【解決手段】糸巻き１は、両端に鍔部４，５を有する糸巻き軸３の軸芯にゴム製の連結軸７の一端を取り付け、連結軸７の他端に糸引き出し用摘み部８を設け、糸引き出し用摘み部８を持って水糸２を糸巻き軸３の軸線方向に鍔部５の上方から引き出すと、連結軸７が撓み、水糸２の引き出しに伴って糸巻き部６が揺動して、水糸２を引き出すことができるようにした。鍔部４に糸巻き取り用摘み部１０が形成されている。両鍔部４，５の間隔を内周から外周に向けて漸次拡開するよう形成されている。鍔部４に糸留め用のスリット１２が、鍔部５に糸切り用のカッター１３が設けられている。【選択図】　　図１
2004010298.tif 000002
【特許請求の範囲】
【請求項１】
水糸を巻き付ける糸巻き軸の両端に鍔部を有する水糸用糸巻きにおいて、前記糸巻き軸の軸芯に可撓性を有する連結軸の一端を取り付け、該連結軸の他端に糸引き出し用摘み部を設けたことを特徴とする水糸用糸巻き。
【請求項２】
前記連結軸がゴム製であることを特徴とする請求項１記載の水糸用糸巻き。
【請求項３】
前記鍔部に、糸巻き取り用摘み部を設けたことを特徴とする請求項１又は２記載の水糸用糸巻き。
【請求項４】
前記両鍔部は、その間隔を内周から外周に向けて漸次拡開するよう形成されていることを特徴とする請求項１乃至３のいずれかに記載の水糸用糸巻き。
【請求項５】
前記鍔部に、糸留め用のスリットが形成されていることを特徴とする請求項１乃至４のいずれかに記載の水糸用糸巻き。
【請求項６】
前記鍔部に、糸切り用のカッターが設けられていることを特徴とする請求項１乃至５のいずれかに記載の水糸用糸巻き。
【発明の詳細な説明】
【０００１】
【発明の属する技術分野】
本発明は、建築工事、基礎工事、土木工事等の際に水平度や垂直度を求めるために用いられる水糸の糸巻きに関する。
【０００２】
【従来の技術】
例えば、ブロック積み、タイル貼り、生け垣の刈り込み、花壇の造成等の工事や作業の際には、２本の杭の間に張る水糸に水平器を当てて水糸を水平に張って水平度を求めたり、水糸に縛った錘を下げて垂直度を求め、これらを基準にして工事や作業を行う。このようにして使用される水糸は、一般に、縫い糸の糸巻きのようにボール紙で形成された平板状の糸巻きに水糸を巻いたものや、糸巻き軸の両端に鍔部を有するプラスチック製のリール状の糸巻きに水糸を巻いたものや、糸引き出し口と糸切り用の刃を設けたプラスチック製透明ケースに水糸を巻いた糸巻きを入れて、引き出し口から引き出した水糸を刃で切るようにした形状で販売されている。
【０００３】
【発明が解決しようとする課題】
ところが、ボール紙の糸巻きは、引き裂きや水濡れに弱いので、丸棒等の木片に巻き直されて使用されることが多く、水糸を引き出すには、木片の両端を軽く握って回転させながら引き出す。リール状の糸巻きは、軸芯に形成された貫通孔に棒を差し込んで糸巻きを回転させながら引き出している。この場合に、糸巻きの向きに注意を払っていないと、水糸が鍔部に引っ掛かって出なくなってしまうから、作業性の良いものではなく、なおかつ、水糸を糸巻きに再び巻いて再使用するものではなかった。また、透明ケースに入っているものは、水糸の巻き戻しができないので使い捨てとなり資源の無駄となっていた。
【０００４】
そこで本発明は、糸巻きの向きを気にしなくしなくても水糸をスムースに引き出すことと、引き出した水糸を巻き取りできる糸巻きを提供することを目的としている。
【０００５】
【課題を解決するための手段】
本発明は、水糸を巻き付ける糸巻き軸の両端に鍔部を有する水糸用糸巻きにおいて、前記糸巻き軸の軸芯に可撓性を有する連結軸の一端を取り付け、該連結軸の他端に糸引き出し用摘み部を設けたことを特徴としている。また、前記連結軸がゴム製であることが好ましいが、例えば、スチール製のコイルスプリング等の軸が撓むものであってもよい。さらに、前記鍔部に、糸巻き取り用摘み部を設けることにより、該摘み部を持って糸巻き軸に水糸を巻き付けることができる。さらにまた、前記両鍔部は、その間隔を内周から外周に向けて漸次拡開するよう形成されていることにより、水糸の引き出しが容易になるとともに、水糸を多く巻けるので好ましく、また、前記鍔部に、糸留め用のスリット及び糸切り用のカッターが設けられていることが好ましい。
【０００６】
【発明の実施の形態】
以下、本発明を、図面に示す一実施形態例に基づいて、さらに詳細に説明する。糸巻き１は、水糸２を巻き付ける円筒状の糸巻き軸３の両端に円盤状の鍔部４，５を有する糸巻き部６と、前記糸巻き軸３の軸芯に一端を取り付けた可撓性を有するゴム製の連結軸７と、該連結軸７の他端に設けた円筒状の糸引き出し用摘み部８とで構成されている。
【０００７】
前記糸巻き部６は、一端に前記鍔部４を一体に成形した糸巻き軸３と、該糸巻き軸３とは別に成形されて該糸巻き軸３の他端にビス９で取り付けられる前記鍔部５とで構成されている。両鍔部４，５は、その間隔を内周から外周に向けて漸次拡開するよう形成されている。
【０００８】
前記鍔部４には、中央部外面に円筒状の糸巻き取り用摘み部１０が突出形成され、該糸巻き取り用摘み部１０の糸巻き軸３の軸芯位置に、連結軸７の軸孔１１が穿設されている。糸巻き取り用摘み部１０の外周には、軸方向に長い凹部と凸部を一定間隔で交互に設けた滑り止め１０ａが形成されている。また、鍔部４の外周には、水糸２を挟んで係止する糸留め用のスリット１２が２カ所１８０度対向する位置に設けられている。
【０００９】
前記鍔部５には、糸切り用のカッター１３が設けられている。このカッター１３は、鍔部５に形成したスリット１４に鍔部５の外面から突出して設けられるＬ字状のプロテクター１５と糸巻き軸３の間に挟持され、プロテクター１５の上端よりも低い位置で鍔部５の中央部に向けて刃を露出している。
【００１０】
前記連結軸７は、軸部７ａと、該軸部７ａ及び軸孔１１よりも大径の頭部７ｂとを有する円柱状で、糸巻き軸３の内側から前記軸孔１１に挿入され、頭部７ｂにて抜け止めされるとともに、軸孔１１の内端面に形成された回り止め１１ａに頭部７ｂを当接させて回転止めされている。
【００１１】
前記糸巻き取り用摘み部１０から突出する連結軸７の軸部７ａには、前記糸引き出し用摘み部８が、糸巻取り用摘み部１０との間に少し間隔を開けて取り付けられている。糸引き出し用摘み部８には、連結軸７の挿通孔８ａと、該挿通孔８ａに挿通される連結軸７の先端面が当接するストッパ８ｂとが形成されている。該ストッパ８ｂは、糸引き出し用摘み部８を連結軸７に取り付ける際に、前記軸孔１１に挿通された連結軸７を最大限に引き出して、連結軸７の先端面をストッパ８ｂに当接させることにより、糸引き出し用摘み部８と糸巻き取り用摘み部１０との間に連結軸７が撓む適宜な間隔を形成するために設けられている。このようにして、前記挿通孔８ａに挿通された連結軸７の軸部７ａ先端に抜け止め及び回転止めリング１６が嵌着されて、糸引き出し用摘み部８が連結軸７に取り付けられる。
【００１２】
このように構成された糸巻き１は、糸巻き軸３に巻き付けられた水糸２を引き出す場合に、図５に示されるように、糸引き出し用摘み部８を一方の手で持って、他方の手で水糸２を糸巻き軸３の軸線方向に鍔部５の上方から引き出すと、連結軸７が撓み、水糸２の引き出しに伴って糸巻き部６が揺動して、水糸２を引き出すことができる。
【００１３】
したがって、糸巻き軸３の軸線方向に水糸２をスムースに引き出すことができるから、糸巻き１の方向を気にする必要がなく作業性が良い。また、鍔部４，５の間隔を内周から外周に向けて広げていることにより、鍔部４，５の背が少々高くても水糸２をスムースに引き出せるとともに、糸巻き軸３に水糸２を多く巻ける。さらに、水糸２を巻くときは、糸巻き取り用摘み部１０を一方の手で持って、他方の手で水糸２を糸巻き軸３に巻けばよいので、水糸２が傷んで使えなくなるまで再使用可能で資源の無駄にならず経済的である。また、糸止め用のスリット１２に水糸２を係止するから、水糸２がばらけることがなく保管性がよい。しかも、必要なときは、水糸２を糸切り用のカッター１３で切断できる。さらに、該カッター１３は、プロテクター１５にてカバーされているから、安全性が高い。
【００１４】
【発明の効果】
以上説明したように、本発明によれば、水糸を引き出すときに、連結軸が撓んで糸巻き部が揺動するから、鍔部の背が少々高くても糸巻きの方向を気にすることなく水糸をスムースに引き出すことができ作業性が良い。また、鍔部の背を高くできることにより、糸巻き軸に巻く水糸の量を多くできる。
【図面の簡単な説明】
【図１】糸巻きの断面図
【図２】糸巻きの正面図
【図３】糸巻きの左側面図
【図４】糸巻きの右側面図
【図５】水糸を引き出したときの糸巻きを示す概略図
【符号の説明】
１…糸巻き、２…水糸、３…糸巻き軸、４，５…鍔部、６…糸巻き部、７…連結軸、８…糸引き出し用摘み部、１０…糸巻き取り用摘み部、１２…糸留め用のスリット、１３…糸切り用のカッター
【図１】
2004010298.tif 000003
【図２】
2004010298.tif 000004
【図３】
2004010298.tif 000005
【図４】
2004010298.tif 000006
【図５】
2004010298.tif 000007